(57)【要約】【課題】上面に落石等の衝撃を受けた時、プレキャスト床版に生じる応力を軽減することができ、山間地の現場における施工も容易なシェッドを提供する。【解決手段】通路Ｔ上方に設置された複数のプレキャスト梁１２を備える。各プレキャスト梁１２の間に複数のプレキャスト床版１８を架設することによって通路Ｔ上方を覆う床版層２０を備える。床版層２０の上面に打設された現場打ちコンクリート層２２を備える。プレキャスト梁１２は、コンクリート梁部２４と、その上面から一端部２８ａが突出している複数のアンカーバー２８とを有する。プレキャスト床版１８は、端部に貫通孔９４ａ，９４ｂが形成され、下面の所定領域がプレキャスト梁１２の上面に面接触して支持される。アンカーバー２８の端部２８ａは、貫通孔９４ａ，９４ｂを通じてプレキャスト床版１８の上面側に突出し、定着具９６を用いてプレキャスト床版１８の上面に各々固定されている。【選択図】図１３
2019049110.tif 000002
【特許請求の範囲】
【請求項１】
山側の斜面に沿って設けられた通路を防護するシェッドにおいて、
前記通路上方に前記通路の幅方向に配され、前記通路の長さ方向に所定の間隔を空けて設置された複数のプレキャスト梁と、前記各プレキャスト梁の間に複数のプレキャスト床版を架設することによって前記通路上方を覆う床版層と、前記床版層の上面に打設された現場打ちコンクリート層とを備え、
前記プレキャスト梁は、本体であるコンクリート梁部と、前記コンクリート梁部の上面から一端部が突出している複数のアンカーバーとを有し、
前記プレキャスト床版の端部には、前記アンカーバーの前記一端部を挿通できる大きさの貫通孔が形成され、
前記プレキャスト床版は、下面の所定領域が前記プレキャスト梁の上面に面接触して支持され、
前記アンカーバーの前記一端部は、前記プレキャスト床版の前記貫通孔を通じて前記プレキャスト床版の上面側に突出し、定着具を用いて前記プレキャスト床版の上面に各々固定されていることを特徴とするシェッド。
【請求項２】
前記複数のプレストキャスト梁のうち、前記通路の長さ方向に並ぶ２つの前記プレキャスト床版の各端部を支持する前記プレストキャスト梁は、当該２つの前記プレキャスト床版に固定される前記アンカーバーが前記通路の長さ方向に沿って一対に設けられ、当該一対の前記アンカーバーの前記一端部同士が連結部材で互いに固定されている請求項１記載のシェッド。
【請求項３】
前記プレキャスト梁は、前記コンクリート梁部の下面及び側面を覆う梁部被覆板と、前記コンクリート梁部内に埋設された梁部補強用の長尺部材とを有し、
前記梁部被覆板は、複数の被覆用部材が長さ方向に連結され断面Ｕ字状に形成され、
前記梁部補強用の長尺部材は、前記梁部被覆板の内側に、前記梁部被覆板の長さ方向に配して固定され、
前記コンクリート梁部は、前記梁部補強用の長尺部材が固定された前記梁部被覆板の内側にコンクリートを打設することによって形成されている請求項１又は２記載のシェッド。
【請求項４】
前記複数の被覆用部材は、それぞれ断面Ｌ字状の鋼板を左右対称に配して相互接続することによって断面Ｕ字状に形成され、前記梁部被覆板は、当該複数の被覆用部材の長さ方向の端部同士を連結することによって形成されている請求項３記載のシェッド。
【請求項５】
前記プレキャスト床版は、本体である略長方形のコンクリート床版部と、前記コンクリート床版部内に立てて配された床版部補強用プレートとで構成され、前記プレキャスト梁の上面に架設された状態で、前記床版部補強用プレートが前記各プレキャスト梁間に架設される請求項１又は２記載のシェッド。
【請求項６】
前記床版部補強用プレートの上端部は、前記コンクリート床版部の上面から突出し、前記通路の幅方向に並ぶ複数の前記プレキャスト床版は、前記床版部補強用プレートの前記上端部又はその近傍同士が、連結部材で相互に固定されている請求項５記載のシェッド。
【請求項７】
前記床版部補強用プレートの上端部は、前記コンクリート床版部の上面から突出し、前記通路の長さ方向に並ぶ複数の前記プレキャスト床版は、前記床版部補強用プレートの前記上端部又はその近傍同士が、連結部材で相互に固定されている請求項５記載のシェッド。
【請求項８】
前記プレキャスト床版は、前記コンクリート床版部の下面を覆う床版部被覆板を有し、前記コンクリート床版部は、この床版部被覆板を型枠にして形成されている請求項５乃至７のいずれか記載のシェッド。
【発明の詳細な説明】
【技術分野】
【０００１】
本発明は、山沿いの道路や鉄道用軌道を落石、土砂崩落、雪崩等から防護するためのシェッドに関する。
【背景技術】
【０００２】
従来、特許文献１の第２実施例に開示されているように、複数の主桁が道路の長さ方向に間隔を空けて設置され、隣り合う主桁間に道路上方を覆う複数のプレート（プレキャスト床版）が架設され、複数のプレート及び主桁の上面に床版コクリート（現場打ちコンクリート）が形成された雪崩落石等の保護構造物があった。この主桁は、上及び下フランジ部を有する鉄骨が埋設され、曲げ及びせん断応力が向上している。
【先行技術文献】
【特許文献】
【０００３】
【特許文献１】特開平１１−２３６７０５号公報
【発明の概要】
【発明が解決しようとする課題】
【０００４】
特許文献１の第二実施例の保護構造物は、プレートの両端部は、主桁の上面と床版コンクリートに挟まれるように保持されているが、主桁とプレートとの接合度が弱く、主桁とプレートの接合部分の回転がほぼ自由なので、プレートの上面に落石等の衝撃を受けた時、プレートに大きい曲げモーメントが発生し、プレートに大きい応力が生じる。従って、この応力をより軽減することが求められていた。
【０００５】
本発明は、上記背景技術に鑑みて成されたものであり、上面に落石等の衝撃を受けた時、プレキャスト床版に生じる応力を軽減することができ、山間地の現場における施工も容易なシェッドを提供することを目的とする。
【課題を解決するための手段】
【０００６】
本発明は、山側の斜面に沿って設けられた通路を防護するシェッドであって、前記通路上方に前記通路の幅方向に配され、前記通路の長さ方向に所定の間隔を空けて設置された複数のプレキャスト梁と、前記各プレキャスト梁の間に複数のプレキャスト床版を架設することによって前記通路上方を覆う床版層と、前記床版層の上面に打設された現場打ちコンクリート層とを備え、前記プレキャスト梁は、本体であるコンクリート梁部と、前記コンクリート梁部の上面から一端部が突出している複数のアンカーバーとを有し、前記プレキャスト床版の端部には、前記アンカーバーの前記一端部を挿通できる大きさの貫通孔が形成され、
前記プレキャスト床版は、下面の所定領域が前記プレキャスト梁の上面に面接触して支持され、前記アンカーバーの前記一端部は、前記プレキャスト床版の前記貫通孔を通じて前記プレキャスト床版の上面側に突出し、定着具を用いて前記プレキャスト床版の上面に各々固定されているシェッドである。
【０００７】
また、前記複数のプレストキャスト梁のうち、前記通路の長さ方向に並ぶ２つの前記プレキャスト床版の各端部を支持する前記プレストキャスト梁は、当該２つの前記プレキャスト床版に固定される前記アンカーバーが前記通路の長さ方向に沿って一対に設けられ、当該一対の前記アンカーバーの前記一端部同士が連結部材で互いに固定されている。
【０００８】
前記プレキャスト梁は、前記コンクリート梁部の下面及び側面を覆う梁部被覆板と、前記コンクリート梁部内に埋設された梁部補強用の長尺部材とを有し、前記梁部被覆板は、複数の被覆用部材が長さ方向に連結され断面Ｕ字状に形成され、前記梁部補強用の長尺部材は、前記梁部被覆板の内側に、前記梁部被覆板の長さ方向に配して固定され、前記コンクリート梁部は、前記梁部補強用の長尺部材が固定された前記梁部被覆板の内側にコンクリートを打設することによって形成されている構成にすることができる。
【０００９】
例えば、前記複数の被覆用部材は、それぞれ断面Ｌ字状の鋼板を左右対称に配して相互接続することによって断面Ｕ字状に形成され、前記梁部被覆板は、当該複数の被覆用部材の長さ方向の端部同士を連結することによって形成されている構成にすることができる。
【００１０】
また、前記プレキャスト床版は、本体である略長方形のコンクリート床版部と、前記コンクリート床版部内に立てて配された床版部補強用プレートとで構成され、前記プレキャスト梁の上面に架設された状態で、前記床版部補強用プレートが前記各プレキャスト梁間に架設される構成にすることができる。
【００１１】
例えば、前記床版部補強用プレートの上端部は、前記コンクリート床版部の上面から突出し、前記通路の幅方向に並ぶ複数の前記プレキャスト床版は、前記床版部補強用プレートの前記上端部又はその近傍同士が、連結部材で相互に固定されている構成にすることができる。また、前記床版部補強用プレートの上端部は、前記コンクリート床版部の上面から突出し、前記通路の長さ方向に並ぶ複数の前記プレキャスト床版は、前記床版部補強用プレートの前記上端部又はその近傍同士が、連結部材で相互に固定されている構成にすることができる。
【００１２】
前記プレキャスト床版は、前記コンクリート床版部の下面を覆う床版部被覆板を有し、前記コンクリート床版部は、この床版部被覆板を型枠にして形成されている構成にすることができる。
【発明の効果】
【００１３】
本発明のシェッドは、独特な構造のプレキャスト梁及びプレキャスト床版と、現場打ちコンクリート層とを組み合わせた構成なので、落石、土砂崩落、雪崩等の衝撃に対する耐力性能を格段に向上させることができる。特に、プレキャスト梁とプレキャスト床版とが強く接合され、互いの接合部分が変形しにくい構造なので、落石等の衝撃を受けた時、プレキャスト床版に発生する曲げモーメントを小さくすることができ、プレキャスト床版に生じる応力が効果的に軽減される。また、現場での施工も容易である。
【図面の簡単な説明】
【００１４】
【図１】本発明のシェッドの一実施形態を示す断面図（ａ）、正面図（ｂ）である。
【図２】この実施形態に使用されるプレキャスト梁の外観を示す正面図（ａ）、平面図（ｂ）、右側面図（ｃ）である。
【図３】梁部被覆板の外観を示す平面図（ａ）、第一、第二及び第三の被覆用部材の各外観を示す平面図（ｂ）である。
【図４】図３（ｂ）の第一の被覆用部材のＡ１−Ａ１断面図（ａ）、右側面図（ｂ）である。
【図５】図２のプレキャスト梁内に設けられた梁部補強用プレート及び梁部補強用鉄筋を示す正面図（ａ）、アンボンドタイプの鋼線を示す正面図（ｂ）である。
【図６】図５のプレキャスト梁のＡ２−Ａ２断面図であって、コンクリート梁部を透視した図（ａ）、Ｂ３部の内部構造を示す部分断面図（ｂ）である。
【図７】この実施形態のプレキャスト梁とプレキャスト支柱との接続構造を示す部分断面図である。
【図８】図７のプレキャスト支柱のＢ１−Ｂ１断面図（ａ）、Ｂ２−Ｂ２断面図（ｂ）である。
【図９】この実施形態の、プレキャスト梁と支持壁との接続構造を示す部分断面図（ａ）、Ｃ１−Ｃ１断面図（ｂ）である。
【図１０】この実施形態に使用されるプレキャスト床版の外観を示す正面図（ａ）、平面図（ｂ）、側面を拡大した図（ｃ）である。
【図１１】図１０のプレキャスト床版のコンクリート床版部を透視した正面図（ａ）、平面図（ｂ）、側面を拡大した図（ｃ）である。
【図１２】この実施形態の、プレキャスト床版をプレキャスト梁上に敷設し、連結部材で連結した状態を示す平面図、右側面図及び正面図である。
【図１３】図１２におけるプレキャスト梁とプレキャスト床版との接続構造を側面の側から見た断面図（ａ）、正面の側から見た断面図（ｂ）である。
【図１４】床版上に衝撃荷重を受ける様子を示す正面図（ａ）、従来の構造の場合のモーメント図（ｂ）、この実施形態の場合のモーメント図（ｃ）である。
【発明を実施するための形態】
【００１５】
以下、本発明のシェッドの一実施形態について、図面に基づいて説明する。この実施形態のシェッド１０は、山の斜面Ｓに沿って設けられた通路Ｔ（道路、鉄道用軌道等）に設置され、通路Ｔを落石、土砂崩落、雪崩等から防護するものである。
【００１６】
シェッド１０は、図１に示すように、複数の角柱状のプレキャスト梁１２を有し、それぞれ通路Ｔの上方に通路Ｔの幅方向に配され、通路Ｔの長さ方向に所定の間隔を空けて設置されている。各プレキャスト梁１２は、山の斜面Ｓ側の端部が通路Ｔの長さ方向に連続する支持壁１４の上端部により支持され、反対側の端部が複数のプレキャスト支柱１６の上端部により個別に支持されている。プレキャスト梁１２の上方には、複数のプレキャスト床版１８を架設して成る床版層２０が形成され、プレキャスト梁１２に支持されて通路Ｔの上方を覆っている。さらに、床板層２０の上面に、現場打ちコンクリート層２２が打設されている。
【００１７】
プレキャスト梁１２は、図２に示すように、本体であるコンクリート梁部２４と、コンクリート梁部２４の下面及び側面を覆う断面Ｕ字状の梁部被覆板２６と、複数のアンカーバー２８，３０と、コンクリート梁部２４内に埋設された梁部補強用の複数の部材とで構成され、あらかじめ工場で製作されて山間地の現場に搬送される。
【００１８】
梁部被覆板２６は、この実施形態では図３（ａ）、（ｂ）に示すように、第一、第二及び第三の被覆用部材３２，３４，３６を長さ方向に連結することによって形成されている。
【００１９】
第一の被覆用部材３２は、図４（ａ）に示すように、断面Ｌ字状の鋼板３２ａ，３２ｂを左右対称に配し、互いの端部同士を複数のネジ３８で接続することにより、断面Ｕ字状に形成されている。底板部の内側面には、複数のスタッド４０ａが立設され、一対の側板部の内側面には、複数のスタッド４０ｂが立設されている。スタッド４０ａ，４０ｂは、鋼板３２ａ，３２ｂの内側面に立設固定されるものであれば良く、例えば、金属製のボルトを利用することができ、ボルトの一端部を鋼板３２ａ，３２ｂの内側面に溶接等することにより設けられる。
【００２０】
第一の被覆用部材３２の右側端部には、ジョイントプレート４２が取り付けられている。ジョイントプレート４２は、図４（ｂ）に示すように、馬蹄型に形成された平板であり、外形の内側に所定の間隔を空けて複数のネジ穴４２ａが形成され、外側周縁部の端面が、第一の被覆用部材３２の右側端部の内側面に沿って溶接等の方法で接合されている。また、図３（ｂ）に示すように、底板部の左側端寄りの位置に、複数の透孔４４ａが設けられている。
【００２１】
第二の被覆用部材３４は、第一の被覆用部材３２とほぼ同じ構造で、第一の被覆用部材３２の長さを例えば約1.8倍にしたような外形である。つまり、鋼板３２ａ，３２ｂの約1.8倍の長さの断面Ｌ字状の鋼板３４ａ，３４ｂを左右対称に配し、互いの端部同士を複数のネジ３８で接続することにより、断面Ｕ字状に形成されている。ネジ３８やスタッド４０ａ，４０ｂの数は、鋼板３４ａ，３４ｂの長さに合わせて適宜の数に設定されている。なお、ジョイントプレート４２は、第二の被覆用部材３４の右側端部と左側端部の両方に取り付けられている。
【００２２】
第三の被覆用部材３６も、第一及び第二の被覆用部材３２，３４とほぼ同じ構造で、第一の被覆用部材３２の長さを例えば約1.2倍にしたような外形である。つまり、鋼板３２ａ，３２ｂの約1.2倍の長さの断面Ｌ字状の鋼板３６ａ，３６ｂを左右対称に配し、互いの端部同士を複数のネジ３８で接続することにより、断面Ｕ字状に形成されている。ネジ３８やスタッド４０ａ，４０ｂの数は、鋼板３６ａ，３６ｂの長さに合わせて適宜の数に設定されている。なお、ジョイントプレート４２は、第三の被覆用部材３６の左側端部に取り付けられている。また、底板部の右側端寄りの位置に、複数の透孔４４ｂが設けられている。
【００２３】
第一の被覆用部材３２の右側端部に第二の被覆用部材３４の左側端部を連結するときは、図３（ａ）に示すように、第一の被覆用部材３２の右側端部のジョイントプレート４２と第二の被覆用部材３４の左側端部のジョイントプレート４２とを当接させ、互いのネジ穴４２ａにネジ４６を通して固定する。第二の被覆用部材３４の右側端部に別の第二の被覆用部材３４の左側端部を連結するとき、及び第二の被覆用部材３４の右側端部に第三の被覆用部材３６の左側端部を連結するときも同様である。このように、比較的短尺の第一、第二及び第三の被覆用部材３２，３４，３６を長さ方向に連結することによって、長尺の梁部被覆板２６が形成される。
【００２４】
プレキャスト梁１２は、図５（ａ）、図６に示すように、コンクリート梁部２４内に長尺の梁部補強用プレート４８（梁部補強用の長尺部材）が埋設されている。梁部補強用プレート４８は強靱な金属板等で成り、略長方形の板状本体４８ａを有している。板状本体４８ａは、長さが梁部被覆板２６の長さよりも少し短く、幅が梁部被覆板２６の側板部の高さよりも短く設定され、板状本体４８ａの一対の長辺が上側と下側になるように、梁部被覆板２６の一対の側板部の間に立てて配置されている。また、梁部補強用プレート４８は、上端部４８ｂ及び下端部４８ｃがフランジ状に形成され、大きな断面二次モーメントを有するＨ形の縦断面形状に形成されている。また、フランジ状の上端部４８ｂの内側両角部は、あらかじめモルタル４８ｄで埋められている。
【００２５】
さらに、コンクリート梁部２４内の、梁部補強用プレート４８の下端部４８ｃ近傍（下方）には、梁部被覆板２６の長さ方向に配した複数の梁部補強用鉄筋５０が埋設されている。また、コンクリート梁部２４内には、図５（ｂ）、図６に示すように、梁部被覆板２６の長さ方向に配したアンボンドタイプの複数の鋼線５２が埋設され、それぞれ強く緊張された状態で、両端部分がコンクリート梁部２４の端面に固定されている。梁部補強用鉄筋５０及び複数の鋼線５２は、コンクリート梁部２４の耐荷力をさらに向上させるための部材である。
【００２６】
アンカーボルト２８は各々ＰＣ鋼棒等で成り、一端部がコンクリート梁部２４の上面から上向きに突出し、他端部がコンクリート梁部２４に埋設されている。各アンカーボルト２８は、図２（ａ）、（ｂ）に示すように、プレキャスト梁１２の長さ方向に所定間隔を空けて配置され、プレキャスト梁１２の幅方向に２列に設けられている。アンカーボルト３０もＰＣ鋼棒等で成り、一端部がコンクリート梁部２４の左側端面から横向きに突出し、他端部がコンクリート梁部２４に埋設されている。詳しくは後で説明するが、アンカーボルト２８は、プレキャスト床版１８をプレキャスト梁１２に固定する際に使用され、アンカーボルト３０は、プレキャスト梁１２を支持壁１４に固定する際に使用される。
【００２７】
さらに、コンクリート梁部２４の左側端部には、上下方向に貫通する複数の貫通孔５４ａが形成され、梁部被覆版２６の透孔４４ａと連通している。コンクリート梁部２４の右側端部にも上下方向に貫通する複数の貫通孔５４ｂが形成され、梁部被覆版２６の透孔４４ｂと連通している。詳しくは後で説明するが、貫通孔５４ａは、プレキャスト梁１２を支持壁１４に固定する際に使用され、貫通孔５４ｂは、プレキャスト梁１２をプレキャスト支柱１６に固定する際に使用される。
【００２８】
工場でプレキャスト梁１２を製作する方法の一例を説明すると、まず、梁部被覆板２６を図３（ａ）の状態に組み立てる。次に、図６（ａ）に示すように、梁部被覆板２６の底板部の上面に複数の梁補強用鉄筋５０を投入し、スタッド４０ａの上方に梁部補強用プレート４８を搬入し、その下端部４８ｃをスタッド４０ａの上端部に溶接等の方法で固定する。そして、梁部被覆板２６の剛性を高めるため、対向する側板部のスタッド４０ｂ同士を、連結バー５６ａ，５６ｂで相互に固定する。上段のスタッド４０ｂ同士の連結については、梁補強用プレート４８の上方を通過する長い連結バー５６ａを用いて直接的に連結することができる。中段のスタッド４０ｂについては、例えば、一方のスタッド４０ｂを短い連結バー５６ｂで梁補強用プレート４８の片面に連結し、他方のスタッド４０ｂを別の連結バー５６ｂで梁補強用プレート４８の反対面に連結する構造とし、梁補強用プレート４８を介して間接的に連結することができる。下段のスタッド４０ｂ同士についても、中段のスタッド４０ｂと同様である。
【００２９】
そして、アンボンドタイプの複数の鋼線５０を、強く緊張しない状態で、梁補強用プレート３８の側方に架設する。また、複数のアンカーボルト２８，２９を所定位置に仮設置する。
【００３０】
さらに、コンクリート等を流し込む前に、梁部被覆板２６の底板部の透孔４４ａ，４４ｂの位置に、貫通孔５４ａ，５４ｂを形成するためのダミー部材（図示せず）を仮設置するとともに、梁部被覆板２６の左右端部から少し内側に入った位置に仕切り板（図示せず）を配置し、開放している梁部被覆板２６の左右端部を塞ぐ。
【００３１】
次に、梁部被覆板２６内にコンクリート梁部２４を形成するため、セメント、砂及び水等の混合物であるモルタル２４ａを、梁部補強用鉄筋５０及び梁部補強用プレート４８の下端部４８ｃが埋まる位置まで流し込む。モルタル２４ａは比較的粘度が低いので、複数の梁部補強用鉄筋５０等の狭い隙間までスムーズに流れ込むことができる。その後、硬化したモルタル２４ａの上面に、セメント、砂、砂利及び水等の混合物であるコンクリート２４ｂを、梁部被覆板２６の上端までいっぱいに流し込む。コンクリート２４ｂは比較的粘度が高いが、梁部補強用プレート４８の上端部４８ｂの内側角部がモルタル４８ｄで埋められているので、この部分に空気溜まりが発生するのが防止され、その他にはコンクリート２４ｂが流れ込みにくい狭い場所がないので問題にならない。なお、モルタル２４ａは、無収縮モルタルであることが好ましい。
【００３２】
コンクリート２４ｂが硬化すると、上記ダミー部材を取り外して貫通孔５４ａ，５４ｂを開通させる。さらに、上記の仕切り板も取り外し、仕切り板に塞がれていたコンクリート２４ｂの端面から突出している鋼線５０の端部を強く緊張し、その両端部を定着具５８で固定する。そして、図６（ｂ）に示すように、定着具５８の部分をコンクリート２４ｃで埋めると、プレキャスト梁１２が完成する。
【００３３】
プレキャスト梁１２は、コンクリート梁部２４内に梁部補強用プレート４８、梁部補強用鉄筋５０、及び鋼線５２を埋設することにより、コンクリート梁部２４の上面に加わる力（落石等の衝撃）に対し、曲げ抵抗力及びせん断抵抗力を非常に強くすることができる。特に、コンクリート梁部２４内の下面寄りの位置（引っ張り力が発生する位置）に梁部補強用鉄筋５０及び鋼線５２が配置されているので、効果がより大きくなる。したがって、モルタル２４ａはコンクリート２４ｂに比べて強度が劣るものの、コンクリート梁部２４全体として耐荷力が格段に向上しており、しかも、コンクリート梁部２４内に空洞や欠陥が発生しにくいという点で品質も安定する。
【００３４】
また、コンクリート梁部２４の側面及び下面が梁部被覆板２６で覆われ、しかも、スタッド４０ａ，４０ｂがコンクリート梁部２４内に埋まって嵌合し、コンクリート梁部２４と梁部被覆板２６とが密着しているので、荷重が働いたとき、コンクリート梁部２４が梁部被覆板２６に拘束され、コンクリート梁部２４の耐荷力がさらに向上する。
【００３５】
なお、連結バー５６ａ，５６ｂは、梁部被覆板２６にコンクリート等を流し込む際、梁部被覆板２６が変形するのを防止するための部材であり、連結バー５６ａ，５６ｂで連結する箇所や数は自由に設定することができる。また、梁部被覆板２６単体で十分な剛性がある場合は、連結バー５６ａ，５６ｂは省略してもよい。
【００３６】
プレキャスト支柱１６は、図７、図８（ａ）、（ｂ）に示すように、ほぼ同じ長さの内鋼管６０及び外鋼管６２と、その間の空間に形成されたコンクリート部６４と、コンクリート部６４内に埋設された複数のＰＣ鋼棒６６とで構成され、あらかじめ工場等で製作されてから山間地の現場に搬送される。
【００３７】
工場でプレキャスト支柱１６を製作する方法の一例を説明すると、まず、内鋼管６０及び外鋼管６２を同心状に配し、２つの鋼管６０，６２が対向する内側に複数のＰＣ鋼棒６６を適宜の間隔で配置し、２つの鋼管６０，６２の一端部を塞ぐため、一端部から少し内側に入った位置に仕切り板（図示せず）を配置する。このとき、ＰＣ鋼棒６６は、プレキャスト支柱１６が現場に設置されたときに谷側になる部分（図８における右寄りの部分）に偏って配置することが好ましい。また、ＰＣ鋼棒６６の仕切り板側の端部は、仕切り板に設けた孔に挿通して僅かに突出させておき、反対側の端部は、２つの鋼管６０，６２の開口している端部から所定の長さだけ大きく突出させておく。
【００３８】
次に、２つの鋼管６０，６２の開口している端部からコンクリートを流し込む。これが硬化してコンクリート部６４が形成されると、仕切り板を取り外し、僅かに突出しているＰＣ鋼棒６６の端部を定着具６８で固定すると、プレキャスト支柱１６が完成する。
【００３９】
プレキャスト支柱１６は、落石等によりプレキャスト支柱１６が変形するほどの強い衝撃を受けたとき、内鋼管６０内の空洞が圧潰する動作により、一定の衝撃吸収効果が得られる。また、ＰＣ鋼棒６６が、コンクリート部６４の谷側の位置（引っ張り力が発生する位置）に配置されているので、コンクリート部６４を補強する効果が大きい。
【００４０】
現場でプレキャスト支柱１６及びプレキャスト梁１２を設置するときは、まず、プレキャスト支柱１６をコンクリート基礎７０の上面に立設し、定着具６８を取り付けた側の端部における谷側の部分を、衝撃緩衝用のヒンジ部材７２を介して固定する。衝撃緩衝の機能が不要であれば、コンクリート基礎７０にしっかりと固定する剛構造にしてもよい。
【００４１】
次に、プレキャスト支柱１６と支持壁１４の各上端部にプレキャスト梁１２を架設する。プレキャスト支柱１６の上端部にプレキャスト梁１２を固定するときは、図７に示すように、プレキャスト梁１２に形成した貫通孔５４ｂにプレキャスト支柱１６のＰＣ鋼棒６６を挿通し、プレキャスト梁１２の上面から突出する端部を強く緊張し、定着具７４で固定する。
【００４２】
支持壁１４の上端部には、谷側に段差７６が設けられており、この段差７６にプレキャスト梁１２の他端部を固定する。段差７６の受け面７６ａには、あらかじめアンカー孔７８が設けられ、受け面７６ａの横の立壁部７６ｂには、あらかじめ横向きに貫通する貫通孔８０が設けられている。プレキャスト梁１２の端部を段差７６に固定するときは、プレキャスト梁１２の端面から横向きに突出するアンカーバー３０を立壁部７６ｂの貫通孔８０に挿通し、立壁部７６ｂの反対面から突出する端部を強く緊張し、定着具８２で固定する。また、プレキャスト梁１２の下面を、ゴム支承板８４を介して受け面７６ａに載置し、所定長さの縦アンカー８６を貫通孔５４ａに差し込み、貫通孔５４ａとアンカー孔７８に連通させることによって水平方向に位置決めする。
【００４３】
このように、プレキャスト梁１２及びプレキャスト支柱１６は、互いに強く固定しているが、支持壁１４及びコンクリート基礎７０に対しては、それほど強く固定していない。つまり、落石等の衝撃を受けたとき、プレキャスト梁１２及びプレキャスト支柱１６が変位できる遊びができ、適度な緩衝効果を得ることができる。
【００４４】
プレキャスト梁１２の上方には、図１に示すように、通路Ｔの上方を覆う床版層２０が設けられ、床版層２０は、複数のプレキャスト床版１８を用いて形成される。プレキャスト床版１８は、図１０、図１１に示すように、本体であるコンクリート床版部８８と、これを補強するための床版部補強用プレート９０と、コンクリート床版部８８の下面を覆う床版部被覆板９２等で構成され、あらかじめ工場で製作されて山間地の現場に搬送される。
【００４５】
コンクリート床版部８８は、平面視で略長方形の外形を有し、長辺は、両端部を一対のプレキャスト梁１２の間に架設できる長さに設定され、短辺は、プレキャスト梁１２の長さ方向に切りよく並べられる長さに設定され、厚みは強度等を考慮した所定の値に設定されている。
【００４６】
床版部補強用プレート９０は強靱な金属板等で成り、長方形の板状本体９０ａを有し、板状本体９０ａの一対の長辺が上側と下側になるように立てて配置されている。床版部補強用プレート９０は、上端部９０ｂ及び下端部９０ｃがフランジ状に形成され、大きな断面二次モーメントを有するＨ形の縦断面形状に形成されている。したがって、床版部補強用プレート９０を設けることで、主にプレキャスト床版１８の、床面に対して垂直方向の力（落石等の衝撃）に対する、床面の長手方向に対する曲げ抵抗力及びせん断抵抗力を非常に強くすることができる。床版部補強用プレート９０の長さは、コンクリート床版部８８の長辺よりも少し短く、下端部９０ｃから上端部９０ｂまでの高さは、コンクリート床版部８８の厚みより高く、コンクリート床版部８８の上面から上端部９０ｂが突出している。突出長さは、後述する現場打ちコンクリート層２２中に上端部９０ｂが位置する程度である。上端部９０ｂがコンクリート床版部８８の上面から突出している理由については後で述べる。
【００４７】
コンクリート床版部８８には、２つの薄肉部８８ａが設けられている。薄肉部８８ａは、床版部補強用プレート９０がない部分の下面側部分を、床版部補強用プレート９０に沿って溝状に凹ませることによって設けられている。薄肉部８８ａの厚みは、例えば全体厚みの約１／４程度である。これにより、コンクリート床版部８８の体積を小さくし、プレキャスト床版１８の軽量化やコストダウンを図っている。
【００４８】
さらに、図１０（ａ）に示すように、コンクリート床版部８８の長手方向の左側端部には、上下方向に貫通する一対の貫通孔９４ａが形成され、右側端部には、上下方向に貫通する一対の貫通孔９４ｂが形成されている。詳しくは後で説明するが、貫通孔９４ａ，９４ｂは、プレキャスト床版１８をプレキャスト梁１２に固定する際に使用される。
【００４９】
床版部被覆板９２は鉄板等であり、コンクリート床版部８８の下面に沿って密着し、下面全体を覆っている。さらに、内側面が床版部補強用プレート９０の下端部９０ｃに溶接等でしっかり接合されている。また、図１１（ｂ）に示すように、長手方向の左側端部には、コンクリート床版部８８の貫通孔９４ａと連通する透孔９６ａが形成され、右側端部には、貫通孔９４ｂと連通する透孔９６ｂ上下方向に貫通する一対の貫通孔９４ａが形成されている。床版部被覆板９２は、上記の梁部被覆板２６と同様に、複数の被覆用部材を長さ方向に連結することによって形成してもよい。
【００５０】
床版部被覆板９２は、落石等による衝撃を吸収してプレキャスト床版１８の耐力性能を高めるとともに、コンクリート床版部８８の一部が通路Ｔに剥落するのを防止する働きをする。また、床版部被覆板９２は、工場でプレキャスト床版１８を製作する際、コンクリート床版部８８を形成するための型枠として使用してもよい。
【００５１】
現場で床版層２０を組み立てるときは、図１２に示すように、プレキャスト梁１２の上面に必要数のプレキャスト床版１８を架設して通路Ｔの上方を覆う。各プレキャスト床版１８の端部をプレキャスト梁１２の上面に固定するときは、図１３に示すように、プレキャスト床版１８に形成した貫通孔９４ａ，９４ｂにプレキャスト梁１２のアンカーバー２８を挿通し、プレキャスト床版１８の上面から突出する端部２８ａを強く緊張し、定着具９６で固定する。このとき、通路Ｔの長さ方向に並ぶ２つのプレキャスト床版１８の各端部が１つのプレキャスト梁１２の上面に固定される部分は、図１３（ｂ）に示すように、通路Ｔの長さ方向に隣接する端部２８ａ同士（貫通孔９４ａと貫通孔９６ｂから突出する端部２８ａ同士）は連結部材９８で相互に固定した状態で、定着具９６で固定することが好ましい。
【００５２】
例えば、図１４（ａ）に示すように、複数の梁ＨＡの上面に複数の床版ＳＹが架設され、特定の床版ＳＹの上面に落石ＲＡの衝撃荷重が加わった状況を考える。上記の特許文献１の保護構造物のように、床版ＳＹと梁ＨＡとの固定が弱い場合、梁ＨＡと床版ＳＹの接合部分は単純な両端支持梁の構造であり、図１４（ｂ）のモーメント図に示すように、衝撃荷重を受けた床版ＳＨに大きい曲げモーメントが発生し、この床版ＳＹに大きい応力が生じる。
【００５３】
これに対して、本実施形態のように、プレキャスト梁１２の上面とプレキャスト床版１８の下面とを面接触させ、アンカーバー２８と定着具９６を用いて強く固定した場合、プレキャスト梁１２とプレキャスト床版１８との接合部分が一体となり、両端固定梁の構造となるので、図１４（ｃ）のモーメント図に示すように、衝撃荷重を受けたプレキャスト床版１８に曲げモーメントが正負方向に発生し、曲げモーメントのピーク値が抑えられる。従って、衝撃荷重を受けたプレキャスト床版１８に生じる応力が軽減される。また、この衝撃荷重は、連結部材９８を介して隣のプレキャスト床版１２にも効果的に伝達されるので、衝撃荷重による応力が分散される。
【００５４】
次に、通路Ｔの幅方向（プレキャスト梁１２の長さ方向）に並ぶ複数のプレキャスト床版１８を一体化させるため、各コンクリート床版部８８の上面から突出している床版部補強用プレート９０の上端部９０ｂを、連結部材である複数の鉄筋１００を溶接等することによって、相互に固定する。このように鉄筋１００で固定することにより、通路Ｔの幅方向に並ぶプレキャスト床版１８間のせん断抵抗力を向上させるとともに、衝撃を分散させる働きをする。
【００５５】
次に、通路Ｔの長さ方向に並ぶ複数のプレキャスト床版１８を一体化させるため、図１２に示すように、各コンクリート床版部８８の上面から突出している床版部補強用プレート９０の上端部９０ｂを、連結部材である複数の鉄筋１０２を溶接等することによって相互に固定する。鉄筋１０２は、通路Ｔの長さ方向に並ぶプレキャスト床版１８間のせん断抵抗力を向上させるとともに、上記の連結部材９８と同様に、衝撃を分散させる働きをする。さらに、複数の鉄筋１００を、別の連結部材である複数の鉄筋１０４を溶接等することによって相互に固定する。鉄筋１０４は、鉄筋１０２と同様の働きをする。
【００５６】
床版層２０の上面には、現場打ちコンクリート層２２が設けられている。現場打ちコンクリート層２２は、床版部補強用プレート９０の上端部９０ｂ、鉄筋１００，１０２，１０４の全体が埋まるように打設されている。
【００５７】
現場打ちコンクリート層２２を設けることによって、シェッド１０の強度を向上させることができ、敷設されたプレキャスト床版１８間の目地をシールドすることができる。また、現場打ちコンクリート層２２内に、床版層２０の床版部補強用プレート９０の上端部９０ｂ等が嵌合する形になるので、現場打ちコンクリート層２２と床版層２０の結合力を強くすることができる。
【００５８】
以上説明したように、シェッド１０は、独特な構造のプレキャスト梁１２及びプレキャスト床版１８と、現場打ちコンクリート層２２とを組み合わせた構成なので、落石、土砂崩落及び雪崩等の衝撃に対する耐力性能を格段に向上させることができる。特に、プレキャスト梁１２とプレキャスト床版１８とが強く接合され、互いの接合部分が変形しにくい構造なので、落石等の衝撃を受けた時、プレキャスト床版１８に発生する曲げモーメントを小さくすることができ、プレキャスト床版１８に生じる応力が効果的に軽減される。また、現場での施工も容易である。
【００５９】
なお、本発明のシェッドは、上記実施形態及び変形例に限定されるものではない。例えば、図１３（ａ）、（ｂ）に示すように、プレキャスト床版１８をプレキャスト梁１２に固定する構造は、図１３（ａ）、（ｂ）に示すように、１つのプレキャスト床版１８の一端部に対して、プレキャスト梁１２に２つのアンカーバー２８が用意されている。このアンカーバー２８の数は、必要に応じて増減することができ、これに合わせてプレキャスト床版１０の貫通孔９４ａの数も合わせて変更することができる。また、プレキャスト梁１２の上面とプレキャスト床版１８の下面が面接触している部分の面積が大きければ、連結部材９８を省略してもよい。
【００６０】
プレキャスト梁１２は、複数の被覆用部材を長さ方向に連結して梁部被覆板２６を形成しているが、連結する被覆用部材の大きさ、形状、数は、プレキャスト梁の長さや太さ、組み立て作業の効率性等に鑑みて適宜変更することができる。同様に、コンクリート梁部や梁部被覆板を補強等するための部材（梁部補強用鉄筋、アンボンドタイプの鋼線、スタッド、連結部材）の数についても、全体として狙いの強度が得られるように自由に変更することができる。また、梁部被覆板は必要に応じて省略してもよい。
【００６１】
床版層は、狙いの強度が得られれば、連結部材や床版部被覆板を選択的に省略することができる。また、現場打ちコンクリート層と床版層との結合力が十分得られる場合は、補助部材を省略してもよいし、プレートの上側部分をコンクリート本体の上面から突出させなくてもよい。反対に、プレキャスト床版の強度を向上させたいときは、コンクリート床版部を直方体状にして薄肉部を無くしてもよい。その他、上記の構成に加え、現場打ちコンクリート層の上面に緩衝用の発泡スチロール層や敷砂層等を付設してもよい。
【符号の説明】
【００６２】
１０  シェッド
１２  プレキャスト梁
１８  プレキャスト床版
２０  床版層
２２  現場打ちコンクリート層
２４  コンクリート梁部
２４ａ  モルタル
２４ｂ，２４ｃ  コンクリート
２６  梁部被覆板
２８  アンカーバー
２８ａ  端部
３２，３４，３６  第一、第二、第三の被覆用部材
３２ａ，３２ｂ，３４ａ，３４ｂ，３６ａ，３６ｂ  鋼板
４０ａ，４０ｂ  スタッド
４８  梁部補強用プレート（梁部補強用の長尺部材）
４８ａ  板状本体
４８ｂ  上端部
４８ｃ  下端部
４８ｄ  モルタル
５０  梁部補強用鉄筋
５２  アンボンドタイプの鋼線
５６ａ，５６ｂ  連結バー（連結部材）
８８  コンクリート床版部
８８ａ  薄肉部
９０  床版部補強用プレート
９０ａ  板状本体
９０ｂ  上端部
９０ｃ  下端部
９２  床版部被覆板
９４ａ，９４ｂ  貫通孔
９６  定着具
９８  連結部材
１００，１０２，１０４  鉄筋（連結部材）
Ｓ  山の斜面
Ｔ  通路
【図１】
2019049110.tif 000003
【図２】
2019049110.tif 000004
【図３】
2019049110.tif 000005
【図４】
2019049110.tif 000006
【図５】
2019049110.tif 000007
【図６】
2019049110.tif 000008
【図７】
2019049110.tif 000009
【図８】
2019049110.tif 000010
【図９】
2019049110.tif 000011
【図１０】
2019049110.tif 000012
【図１１】
2019049110.tif 000013
【図１２】
2019049110.tif 000014
【図１３】
2019049110.tif 000015
【図１４】
2019049110.tif 000016